(57)【特許請求の範囲】
【請求項１】
トレッド要素（４０、２４０、３４０）および基部（３１、１３１、２３１）を有する支持体（３０、１３０、２３０、３３０）を備える、エスカレーター（１）のステップ（４、３０４）または動く歩道（１１）のプレート（１４、１１４）であって、トレッド要素（４０、２４０、３４０）は少なくとも２つの下位要素（４１、４２、４３）を備え、各下位要素（４１、４２、４３）は、ステップ（４、３０４）またはプレート（１４、１１４）の意図される移動方向（Ｘ）に延在する２つの平行な端側部（４５、４６）、および端側部（４５、４６）に対して直角に配置された２つの側縁部（４７、４８、１４７、１４８）によって、その面積範囲内に境界付けられており、少なくとも２つの下位要素（４１、４２、４３）は、支持体（３０、１３０、２３０、３３０）の基部（３１、１３１、２３１）上に所定の配列で配置され、隣り合って配置された下位要素（４１、４２、４３）は、その端側部（４５、４６）のうちの１つによってそれぞれ互いに支承し、基部（３１、１３１、２３１）上に事前に配置された下位要素（４１、４２）は、基部（３１、１３１、２３１）上に連続的に配置されたそれぞれの下位要素（４２、４３）によって支持体（３０、１３０、２３０、３３０）に固定され、少なくとも１つの突起（４５、４６）が少なくとも１つの端側部（４５、４６）の領域内の下位要素（４１、４２、４３）上に形成されて、互いに支承する端側部（４５、４６）の突起（５５、５６）は、基部（３１、１３１、２３１）上に事前に載置された下位要素（４１、４２）の少なくとも１つの突起（５６）が引き続き載置された下位要素（４２、４３）の下に引掛けられ、基部（３１、１３１、２３１）上に引き続き載置された下位要素（４１、４２、４３）の少なくとも１つの突起（５５）が支持体（３０、１３０、２３０、３３０）の基部（３１、１３１、２３１）の下に引掛けられるように、配置されることを特徴とする、エスカレーター（１）のステップ（４、３０４）または動く歩道（１１）のプレート（１４、１１４）。
【請求項２】
少なくとも１つの位置決め要素（５９）は、各下位要素（４１、４２、４３）に形成され、下位要素（４１、４２、４３）が載置されたときに基部（３１、１３１、２３１）の正確に適合する位置決め通路（３８）の中に突起する、請求項１に記載のステップ（４、３０４）またはプレート（１４、１１４）。
【請求項３】
事前に載置された下位要素（４１、４２）は、基部（３１、１３１、２３１）に対して連続して載置された下位要素（４２、４３）によって付勢される、請求項１または２に記載のステップ（４、３０４）またはプレート（１４、１１４）。
【請求項４】
弾性中間層（１３７）は、支持体（３０、１３０、２３０、３３０）とトレッド要素（４０、２４０、３４０）との間、またはその下位要素（４１、４２、４３）の間に配置される、請求項１から３のいずれか一項に記載のステップ（４、３０４）またはプレート（１４、１１４）。
【請求項５】
下位要素のうちの１つ（４１）は開始要素（４１）であり、開始要素（４１）の左手端側部（４５）は側縁セクション（５１）を有し、これは端側部（４５）と平行であり、支持体への締結領域（５３）を有し、開始要素（４１）の右手端側部（４６）は少なくとも１つの右手突起（５６）を有する、請求項１から４のいずれか一項に記載のステップ（４、３０４）またはプレート（１４、１１４）。
【請求項６】
少なくとも１つの締結突起（５４）が締結領域（５３）に形成され、基部（３１、１３１、２３１）上に載置された開始要素（４１）の締結突起（５４）は支持体（３０、１３０、２３０、３３０）の基部（３１、１３１、２３１）の下に引掛けられる、請求項５に記載のステップ（４、３０４）またはプレート（１４、１１４）。
【請求項７】
下位要素のうちの１つ（４２）は、左手端側部（４５）に少なくとも１つの左手突起（５５）を、右手端側部（４６）に少なくとも１つの右手突起（５６）を有する中間要素（４２）である、請求項１から４のいずれか一項に記載のステップ（４、３０４）またはプレート（１４、１１４）。
【請求項８】
下位要素のうちの１つ（４３）は終端要素（４３）であり、終端要素（４３）の左手端側部（４５）は少なくとも１つの左手突起（５５）を有し、終端要素（４３）の右手端側部（４６）は側縁セクション（５２）を有し、これは端側部（４６）と平行であり、支持体への締結領域（５７）を有する、請求項１から４のいずれか一項に記載のステップ（４、３０４）またはプレート（１４、１１４）。
【請求項９】
終端要素（４３）が基部（３１、１３１、２３１）上に載置されたとき、締結領域（５７）は少なくとも１つの締結要素（３６、３７）によって基部（３１、１３１、２３１）と固定的に接続される、請求項８に記載のステップ（４、３０４）またはプレート（１４、１１４）。
【請求項１０】
支持体（３０、１３０、２３０、３３０）の基部（３１、１３１、２３１）は少なくとも１つの実装通路（３５）を有し、下位要素（４１、４２、４３）が載置されると、互いに支承する端側部（４５、４６）の領域内で、事前に載置された下位要素（４１、４２）の突起（５５、５６）および連続して載置された下位要素（４２、４３）の突起（５５、５６）は、互いに隣り合って配置され、実装通路（３５）内に延在する、請求項１から９のいずれか一項に記載のステップ（４、３０４）またはプレート（１４、１１４）。
【請求項１１】
支持体（３０、１３０、２３０）は、管状構成であり、三角形または台形の断面を有する、請求項１から１０のいずれか一項に記載のステップ（４、３０４）またはプレート（１４、１１４）。
【請求項１２】
少なくとも１つの牽引手段（１９、２５、２６）を有し、牽引手段（１９、２５、２６）に配置された請求項１から１１のいずれか一項に記載の複数のプレート（１４、１１４）を有する、動く歩道（１１）のプレートベルト（１５）。
【請求項１３】
少なくとも１つの牽引手段（９、２５、２６）を有し、牽引手段（９、２５、２６）に配置された請求項１から１１のいずれか一項に記載の複数のステップ（４、３０４）を有する、エスカレーター（１）のステップベルト（５）。
【請求項１４】
循環するように配置された請求項１２に記載のプレートベルト（１５）を有する動く歩道（１１）、または循環するように配置された請求項１３に記載のステップベルト（５）を有するエスカレーター（１）。
【請求項１５】
請求項１２に記載のプレートベルト（１５）で既存のプレートベルトを置き換えることによる、動く歩道（１１）の、または請求項１３に記載のステップベルト（５）で既存のステップベルトを置き換えることによる、エスカレーター（１）の、最新化。
【発明の詳細な説明】
【技術分野】
【０００１】
本発明は、エスカレーター用のステップまたは動く歩道用のプレートに関し、これらのステップまたはプレートは、支持体およびトレッド要素を備える。
【背景技術】
【０００２】
人間用の、エスカレーターおよび動く歩道などの搬送装置は公知であり、人の移送用設備の有効なアイテムである。エスカレーターは通常、たとえば建物のある階から別の階へなど、垂直方向の人の移送に使用され、その一方で動く歩道は主に、あるポイントから別のポイントへ、水平方向または最大１２度までのわずかな傾斜での人の移送に利用される。人間用の搬送装置の長さおよび幅は、それぞれの用途で予想される旅客数に応じて選択される。
【０００３】
エスカレーターステップおよびプレートは、単一部品または複数部品の構成要素として考えられ、通常は鋳造法、押出加工法、または鍛造法によって製造される。ステップおよびプレートのトレッド要素の上側は、トレッド要素の前側から後側まで延在する、一列の平行なリブまたはウェブの形態のトレッドパターンを有する。こうしてリブは、ステップまたはプレートの意図される移動方向に延在する。エスカレーターステップの場合、そのライザー要素もまた、通常はトレッド要素のリブと接続するリブを有する。また、リブはエスカレーターまたは動く歩道の敷居領域において櫛形構造で嵌合する寸法になっている。
【０００４】
エスカレーターのステップベルトを形成するために、少なくとも１つの牽引手段によっていくつかのステップが接続される。同じようにして、いくつかのプレートはプレートベルトを形成するために互いに接合される。動く歩道またはエスカレーターは通常、２つの偏向領域を有する支持構造を備え、その間でプレートベルトまたはステップベルトは循環するように案内される。
【０００５】
プレートまたはステップが、鋳造またはダイキャストアルミニウム、またはその他の適切な金属または金属合金で一体に製造される場合、プレートベルトまたはステップベルトのすべての幅は個々の金型を必要とするので、広範囲な金型が利用可能でなければならない。しかしながら、プレートおよびステップ用の金型は非常に高額である。また、これらの金型部品、特にリブを有するトレッド要素のサイズは鋳造における問題を引き起こす可能性があり、特に、その回避には金型の高価な温度制御が必要なので、シュリンクホールの形成を引き起こす可能性がある。
【０００６】
国際公開第００６６４７６Ａ号パンフレットは、この問題の解決のため、少数の小型金型によって異なる幅のステップまたはプレートが製造可能となるように、ステップおよびプレートのモジュール構成を提案している。ステップまたはプレートは実質的に、押出加工されたアルミニウムの支持体、およびトレッド要素から成る。トレッド要素は複数の下位要素を備える。これらの下位要素は、溝・鍵接続によって支持体に締結される。この解決法の第一の不都合は、鍵・溝接続は特に押し込みの初期において傾く傾向があるので、溝の中に鍵を横方向に押し込むことによって支持体に下位要素を実装することは、困難で時間のかかるプロセスとなり得る点である。この解決法の第二の不都合は、提案された溝・鍵接続はわずかな遊びがあるので、鍵は２つのトレッド要素の間の当接位置においてのみ溝内に広がり、したがって溝と鍵との間の遊びはこれらの場所でのみ解消されるので、トレッドプレートと支持体との間の相対運動の結果、振動によって不快な雑音が生じる点である。
【先行技術文献】
【特許文献】
【０００７】
【特許文献１】国際公開第２０００／６６４７６号
【発明の概要】
【発明が解決しようとする課題】
【０００８】
したがって、本発明の目的は、簡単かつ経済的に製造可能であり、迅速かつ簡単に実装可能であり、その単純な構成にもかかわらずステップベルトまたはプレートベルトの静かな運転を可能にする、支持体およびトレッド要素を有するステップまたはプレートを作成することである。
【課題を解決するための手段】
【０００９】
この目的は、エスカレーターのステップまたは動く歩道のプレートによって達成される。これは、トレッド要素と、基部を有する支持体とを備え、トレッド要素は少なくとも２つの下位要素を備える。各下位要素はステップの意図される移動方向に延在する２つの平行な端側部、および端側部に対して直角に配置された２つの縁側部によって、その面積範囲内に境界付けられている。支持体は、押出成形チューブまたは成形セクション、シートメタルから切断および湾曲された成形部品、あるいは複数の部品から成るステップスケルトンまたはプレートスケルトンであってもよい。
【００１０】
少なくとも２つの下位要素は、支持体の基部上に所定の配列で配置され、隣り合って配置された下位要素は、その端側部のうちの１つによってそれぞれ互いに支承する。トレッド要素の最も単純で可能な実装は、基部上に事前に配置された下位要素が基部上に連続的に配置された下位要素によって支持体に固定されるという事実によって、実現される。結果的に、追加締結手段は不要となる。また、この設計により、トレッド要素は、追加手段を伴わずにステップまたはプレートの幅にわたって複数箇所で支持体と接続され、支持体上の全幅にわたって存在する。さらに、下位要素への分割を通じて、製造が困難なトレッドプレートが、たとえばより高いサイクル速度で動作する小型ダイキャスト機械によって、製造されることが可能である。より小さい下位要素への分割を通じて、同じ下位要素を用いて現在のすべてのステップ幅およびプレート幅を製造することが可能となる。
【００１１】
支持体およびトレッド要素への分割は、生産技術においてのみ利点を有するものではない。分割を通じて、最適に補完する異なる材料を使用することが、可能である。たとえば、鋼の支持体はアルミニウムの同党の支持体よりも、動的で変化する荷重に対してかなり高い使用寿命を有する。小型断面を有するアルミニウム支持体は、振動荷重変化によりその使用寿命が短すぎるので、具体的には１，１００ミリメートルより大きい移送幅またはプレート幅またはステップ幅に使用されることが困難である。
【００１２】
基部上に事前に配置された各下位要素を、基部上に連続的に配置されたそれぞれの下位要素によって支持体に固定するために、少なくとも１つの端側部の領域内の下位要素に、少なくとも１つの突起が形成されることが可能である。互いに隣接する端側部の突起は、基部上に事前に載置された下位要素の少なくとも１つの突起が、連続的に載置された下位要素の下で掛合または嵌合し、基部上に後に載置された下位要素の少なくとも１つの突起は、支持体の基部の下で掛合するように、配置される。
【００１３】
「〜の下で掛合する」という特徴は、下位要素が支持体からその主要実装方向にこれ以上緩まないように、さらなる構成要素（下位要素または支持体）の適切に成形された領域の下に実装状態で突起する、突起の形態を指定する。主要実装方向はこの場合、さらなる構成要素の中に突起を導入するためにその場合に必要とされる旋回運動を考慮に入れずに、下位要素が支持体上に載置される方向である。主要実装方向は通常、基部に対して直角に配向され、したがって実質的に、動作準備状態にあるトレッド要素の荷重の方向に対応する。
【００１４】
基部を包含する平面内であっても支持体に対する下位要素の変位を防止するために、少なくとも１つの位置決め要素が各下位要素に形成されることが可能であり、下位要素が載置されるときに基部の正確に適合する位置決め通路の中に向かって突起する。位置決め要素は、好ましくは円錐台構成であり、下位要素が基部上に載置されたときに位置決め要素の円錐表面が位置決め通路によってわずかに変形してこれに適合するように、正確に適合する位置決めボアまたは円筒形ボアである。
【００１５】
下位要素およびその突起は、事前に載置された要素が、連続して載置された下位要素によって基部に対して付勢されるように、形成されることが可能である。たとえば、下位要素は、次の下位要素が載置されるときに隣接する端側部が基部上に押下されるように、その幅において湾曲するように形成されることが可能である。これらの下位要素は明らかに、その面積範囲および突起によって生じた付勢において平坦となるように形成されることも、可能である。これはたとえば、事前に載置された下位要素の少なくとも１つの突起が基部を超えて突起し、次の下位要素が載置されたときに突出部と称されるこの部分が基部の高さに対して押下される点において、実現されることが可能である。
【００１６】
上述の付勢の代わりに、または下位要素の付勢と組み合わせて、下位要素が載置されて中間層が支持体に対して下位要素を付勢するときに弾性中間層が圧縮されるように、基部とトレッド要素の下側との間のこの弾性中間層の配置もまた、可能となる。弾性中間層はたとえば、プラスチック材料プレートであってもよい。しかしながら、弾性中間層はまた、基部とトレッド要素の下側との間の接着剤の導入によって形成されることも可能であり、これにより、支持体に対するトレッド要素の特にしっかりした締結が実現可能である。特に適しているのは、弾性製品を形成するために湿気によって架橋するシラン修飾ポリマーをベースとする、ペースト状または液状単一成分接着剤／封止剤である。これらはたとえば、車体および車両製造、乗物製造、および容器製造において、ならびに金属製造および装置製造においても、使用される。これらの解決法はすべて、トレッド要素の材料が支持体の材料とは異なる場合に、支持体とトレッド要素との間の界面腐食を防止することができるという利点を有する。
【００１７】
トレッド要素は通常、その歩行表面の設計に関して異なる領域を有する。歩行表面の大部分は、すでに以前述べられたリブを有するが、その一方でたとえばトレッド要素の２つの端側部は、リブのない平坦な表面を有することができる。
【００１８】
このようなトレッド要素を再現できるようにするため、これは互いに識別可能な下位要素に分割される。下位要素のうちの１つは開始要素であってもよく、その左手端側部は、締結領域を備えて、端側部と平行な、側縁セクションを有する。少なくとも１つの右手突起が、その右手端側部の領域内に形成される。
【００１９】
使用される指示語「右手」および「左手」は、単に下位要素の２つの端側部を区別するためのものであり、移動方向に関するそれぞれの特徴または構成要素の位置の考察を有するものではない。これらの指示語は、突起が特定の端側部に関連付けられているときには突起に関連して必ず使用される。
【００２０】
開始要素の締結領域に、少なくとも１つの締結突起が形成されることが可能である。開始要素が支持体の基部上に載置されるとき、少なくとも１つの締結突起は、支持体の基部の下で掛合する。開始要素の締結領域はこれにより、ネジ、クリップ、リベットなどの追加締結手段を伴わずに支持体に締結される。
【００２１】
もう１つの下位要素は、たとえば、２つの端側部の各々に少なくとも１つの突起を有する中間要素である。左手端側部の少なくとも１つの左手突起の位置は、２つの下位要素がその端側部を支持体の基部上で互いに支承させて配置されることが可能なように、先に記載された開始要素の少なくとも１つの右手突起の位置と適合している。また、中間要素の右手端側部の少なくとも１つの右手突起は、いくつかの中間要素がその端側部を支持体の基部上で互いに支承させて配置されることが可能なように、中間要素の少なくとも１つの左手突起に対してずれて配置される。
【００２２】
もう１つの下位要素は終端要素であり、その左手端側部は少なくとも１つの左手突起を有し、その右手端側部は側縁セクションを有し、これは締結領域を備えて端側部と平行である。左手端側部の少なくとも１つの左手突起の位置は同様に、終端要素が、開始要素のみならず中間要素にも続いて、支持体の基部上に配置されることが可能なように、開始要素の右手端側部の少なくとも１つの右手突起と、および中間要素の右手端側部の少なくとも１つの右手突起と、適合している。締結領域は、たとえばネジ用の通路ボア、ネジ孔、スロット、爪を締め付けるための締め付け表面など、締結手段に適したポイントを有する。
【００２３】
上記で説明されたように、下位要素へのトレッド要素の分割を通じて、同じ下位要素によって異なる幅の支持体が装備されることが可能である。最も細いプレートまたはステップは、終端要素によって支持体に固定される開始要素を有する。より大きい幅のステップまたはプレートの支持体にトレッド要素が設けられている限りにおいて、開始要素と終端要素との間に１つ以上の中間要素が配置されることが可能である。支持体の装備はいつも開始要素で始まって終端要素の載置で終わり、その締結領域は、少なくとも１つの締結要素によって支持体の基部に固定的に接続されている。
【００２４】
支持体へのトレッド要素の特に安定した小型の結合は、支持体の基部が、載置された下位要素の互いに隣り合う端側部の領域内に配置された少なくとも１つのＬ字型実装通路を有する場合に、形成されることが可能である。下位要素が載置されると、それぞれ隣り合って配置された、事前に載置された下位要素の突起および連続して載置された下位要素の突起は、Ｌ字型実装通路内に延在する。この場所で事前に載置された下位要素は連続して載置された下位要素の下で掛合し、これと直接隣り合う連続して載置された下位要素は支持体の基部の下で掛合するので、連続して載置された下位要素によって事前に載置された下位要素をＬ字型実装通路の領域内に正確に定義されたように固定することは、こうして実施される。このため、基部および下位要素の下側の局所的な凹凸または変形は、結合の品質に対していかなる影響も及ぼさない。実装通路は明らかに、Ｌ字型断面形状とは異なる孔断面を有することも可能である。実装通路はたとえば、このような形状が好都合であれば、円形、楕円形、正方形、長方形、Ｔ字型、またはＵ字型孔断面を有してもよい。
【００２５】
ステップまたはプレートは、意図される積載荷重または有効荷重が積載された場合に、特定の形状安定度を有する必要がある。また、プレートまたはステップの幅の中で延在する断面は、隣接するステップまたはプレートによって境界付けられ、偏向領域内には空間が存在する。ステップまたはプレートの支持体が管状構成であって、三角形または台形の断面を有する場合、これは問題なく偏向領域内で変更されることが可能であり、曲げおよびねじりモーメントに関して高い抵抗モーメントを有する。
【００２６】
複数の先に記載されたプレートが、少なくとも１つの牽引手段に配置され、これにより、動く歩道用のプレートベルトが形成される。エスカレーターのステップベルトもまた同じように構成されるが、プレートの代わりに複数のステップが、少なくとも１つの牽引手段に配置される。しかしながら、通常は２つの牽引手段がプレートベルトまたはステップベルトに使用され、その場合、プレートまたはステップは牽引手段の間に配置される。牽引手段としてたとえば、リンクチェーン、ケーブル、またはベルトが使用可能である。また、ローラーまたは摺動体などの低摩擦案内要素が、支持体または牽引手段に配置されることも可能である。
【００２７】
本発明は明らかに、新しいエスカレーターまたは動く歩道にのみ使用可能なのではない。たとえば、既存のプレートベルトを本発明によるプレートベルトに置き換えることによって既存の動く歩道が最新化されることが可能であり、既存のステップベルトを本発明によるステップベルトに置き換えることによってエスカレーターが最新化されることも可能である。
【００２８】
下位要素に分割されるトレッド要素およびステップまたはプレートの支持体へのその実装は、例示により、以下の図面を参照して、下記においてより詳細に説明される。
【図面の簡単な説明】
【００２９】
【図１】支持構造または支持フレームおよび２つの偏向領域を有する動く歩道の概略図であり、ここで案内レールが支持構造内に配置され、環状ステップベルトが偏向領域の間に配置されている。
【図２】支持構造および２つの偏向領域を有する動く歩道の概略図であり、ここで案内レールが支持構造内に配置され、環状プレートベルトが偏向領域の間に配置されている。
【図３】２つの牽引手段および牽引手段の間に配置されているプレートが示される、プレートベルトセクションの分解組立図である。
【図４】プレートの支持体上の下位要素の載置を示す三次元図である。
【図５】図３に示されるプレートの部分下面図を示す、三次元図である。
【図６】図５に示される下面図を拡大した詳細な三次元図である。
【図７】管状ステップ体を有するエスカレーターのステップの側面断面図である。
【図８】ステップスケルトンを有するエスカレーターのステップの三次元図である。
【発明を実施するための形態】
【００３０】
図１は、１階Ｅ１と２階Ｅ２とを繋ぐエスカレーター１を、側面から概略的に示す。エスカレーター１は、２つの偏向領域７、８を有する支持構造６または支持フレーム６を備え、その間でステップベルト５が循環するように案内される。ステップベルトは、そこにステップ４が配置される牽引手段９を備える。手すり３が側板２に配置されている。側板２は、側板基部によって、下端で支持構造６に接続されている。
【００３１】
図２は、同様に側板基部および手すり１３を有する側板１２、支持構造１６、および２つの偏向領域１７、１８を備える、類似構成の動く歩道１１を、側面から模式的に示す。図１のエスカレーター１とは反対に、ステップベルトではなくプレートベルト１５が、動く歩道１１の偏向領域１７、１８の間で循環するように配置されている。プレートベルト１５は、プレート１４が配置される牽引手段１９を備える。動く歩道１１は、たとえば３階Ｅ３を４階Ｅ４とを繋ぐ。
【００３２】
図３は、図２に示されるプレートベルト１５の断面の分解図を示す。プレートベルト１５は複数のプレート１４を備え、これらは２つの牽引手段２５、２６の間に配置されている。明確さのため、プレート１４は１つだけ示されている。２つの牽引手段２５、２６はリンクチェーンであり、そこにローラー２７が配置されている。これらのローラー２７は案内レール上を動くが、これらは図示されず、エスカレーターまたは動く歩道の偏向領域の間の支持構造内に配置されている。
【００３３】
プレート１４は支持体３０を有し、これは、管状構造であり、その台形型管状断面（図５に見やすく示される）はプレート１４の幅Ｂに沿って延在する支持体３０は、たとえばアルミニウム、真ちゅう、鋼、高合金クロム鋼、青銅、または銅などの金属で作られてもよいが、また合成材料、特にガラス繊維補強および／または炭素繊維補強複合材料で作られてもよい。支持体３０は、その重量を低減するように、複数の切り欠き３２を有する。三角形の断面の結果として、トレッド要素４０が締結可能な基部３１が、支持体３０に存在する。
【００３４】
ステップおよびプレート１４のトレッド要素４０は、トレッド要素上側に、トレッド要素４０の前側から後側まで延在する一列の平行なリブ４９の形態の、トレッドパターンを有する。リブ４９は、ステップまたはプレート１４の意図される移動方向Ｘ（前後）に延在する。本発明によれば、トレッド要素４０は複数の下位要素、本実施形態では開始要素４１、いくつかの中間要素４２、および終端要素４３を、備える。各下位要素４１、４２、４３は、ステップまたはプレート１４の意図される移動方向Ｘに延在する２つの平行な端側部４５、４６、および端側部４５、４６に対して直角に配置された２つの縁側部４７、４８によって、その面積範囲内に境界付けられている。さらなる明確さのため、端側部４５、４６および縁側部４７、４８は、中間要素４２のうちの１つにのみ参照番号が付されている。
【００３５】
トレッド要素４０は通常、その歩行表面の設計に関して異なる領域を有する。トレッド要素４０の歩行表面の大部分にはリブ４９が設けられており、その一方でたとえばトレッド要素４０の２つの端側縁セクション５１、５２はリブ４９のない平坦な表面を有することができる。
【００３６】
上記ですでに述べられたように、本実施形態のトレッド要素４０は３つの相互識別可能な下位要素４１、４２、４３に分割されている。下位要素の１つ目４１は開始要素４１であり、その左手端側部４５は側縁セクション５１を有し、これは左手端側部４５と平行であり、締結領域５３を有している。加えて、２つの締結突起５４が締結領域５３に形成されている。開始要素４１が支持体３０の基部３１上に載置されると、２つの締結突起５４は基部３１の長方形の実装開口３４を通じて突起し、支持体３０の基部３１の下で掛合する。開始要素４１の締結領域５３はこれにより、ネジ、リベット、キー、クリップなどの追加締結手段を伴わずに、支持体３０に締結される。
【００３７】
部分的にのみ視認可能な２つの右手突起５６は、開始要素４１の右手端側部４６の領域内に形成されている。
【００３８】
下位要素の２つ目４２は中間要素４２であり、これはその左手端側部４５に左手突起５５を、右手端側部４６に右手突起５６を有する。中間要素４２の左手突起５５の位置は、中間要素４２がその左手端側部４５を開始要素４２の右手端側部４６に対して支承させて支持体３０の基部３１上に配置されることが可能なように、先に記載された開始要素４１の右手突起５６の位置と適合している。加えて、中間要素４２の左手突起５５は、図３に示されるように、いくつかの中間要素４２が−その端側部４５、４６を互いに支承させて−支持体３０の基部３１上に配置されることが可能なように、中間要素４２の右手突起５６に対してずれて配置される。
【００３９】
下位要素の３つ目４３は終端要素４３であり、その左手端側部４５は２つの左手突起５５を有し、その右手端側部４６は側縁セクション５２を有し、これは右手端側部４３と平行であり、締結領域５７を有している。２つの左手突起５５の位置はやはり、開始要素４１のみならず中間要素４２にもしたがって終端要素４３が支持体３０の基部３１上に配置されることが可能なように、開始要素４１の右手端側部４６および中間要素４２の右手端側部４６の２つの右手突起５６と適合している。下位要素４１、４２、４３が支持体３０上にその突起５５、５６によって全体的に載置および締結されるために、その中に突起５５、５６が突起するかまたはその中を通じてこれらが突出するＬ字型実装開口３５が、基部３１内に形成される。
【００４０】
終端要素４３の締結領域５７は、たとえばネジ３６用の通路ボア５８など、締結手段３６のための適切な取り付けポイント５８を有する。取り付けポイントはやはり明らかにネジ孔、スロット、爪を締め付けるための締め付け表面、などであってもよい。本実施形態において、終端要素４３の実装のため、ネジ留めプレート３８が基部３１の下側に配置される。実装状態において、ネジ３６は、ネジ留めプレート３７のネジ孔の中まで取り付けポイント５８および支持体３０の基部３１を通じて突出する。明らかに、ネジ留めプレート３７の代わりに専用ナットが使用されることも可能である。基部３１のそれぞれの設計に応じて、ネジ山は基部本体３０に直接刻み込まれることも可能である。
【００４１】
図３はかなり幅広いプレート１４を示しており、その支持体３０の基部３１上では、５つの中間要素４２が開始要素４１と終端要素４３との間に配置されている。最小幅Ｂのプレート１４を得るために、適度に細い支持体３０は別として、１つの開始要素４１のみが支持体３０の基部３１上に載置され、これは終端要素４３によって支持体３０に固定される。より大きい幅Ｂを有するステップまたはプレート１４の支持体３０にトレッド要素４０が設けられている限りにおいて、１つ以上の中間要素４２が開始要素４１と終端要素４３との間に配置されることが可能である。こうして支持体３０に下位要素４１、４２、４３を装着することは、いつも開始要素４１から始まって終端要素４３で終わり、その締結領域５７は、少なくとも１つの締結要素３６によって支持体３０の基部３１と固定的に接続される。
【００４２】
加えて、環状円形孔断面を有する位置決め通路３８が、基部３１内に形成される。位置決め通路３８および実装通路３５と下位要素４１、４２、４３との協働は、図４から図６に基づいて以下に記載される。
【００４３】
図４は、プレート１１４の支持体１３０上への中間要素４２の載置を、三次元図で示す。支持体１３０が図３に示される支持体３０と異なる形状であっても、その基部１３１もまた同じ実装通路３５および位置決め通路３８を有する。開始要素４１はすでに基部１３１上に配置されている。中間要素４２は、２つの左手突起５５が実装通路３５を通じて突出するまで、支持体１３０の基部１３１上の主要実装方向Ｈの斜め保持位置に載置される。中間要素４２はその後、矢印Ｖで示されるように、基部１３１に向かって下方に旋回されるかまたは折り畳まれる。下位要素４１、４２、４３がすでに旋回された場合、下位要素４１、４２、４３の下側に形成された位置決め要素５９は、正確に適合する位置決め経路３８の中に導入される。基部１３１を包含する平面内の支持体１３０における下位要素４１、４２、４３の相対的な変位は、位置決め要素５９によって防止される。位置決め要素５９は好ましくは円錐台形構成であり、正確に適合する位置決め経路３８は、下位要素４１、４２、４３が基部１３１上に載置されたときに位置決め要素５９の円錐表面が位置決め通路３８によってわずかに変形してこれに適合するように、円筒形のボアである。その他すべての下位要素４１、４３もまた、記載された中間要素４２と同じように載置される。
【００４４】
本例においていくつかのセクションに分割される、弾性中間層１３７は、位置決め通路３８の間の基部１３１上に配置される。弾性中間層１３７はたとえば、接着層または弾性合成材料プレートまたは合成材料ベルトのセクションであってもよい。
【００４５】
図５は、下位要素がすでに載置された状態の、図３に示されるプレート１４の部分下面図を三次元図で示す。開始要素４１はこれにより、開始要素４１の隣接する端側部４６の右手突起５６が実装通路３５の中へおよび中間要素４２の下側の下に突起し、または中間要素４２の下で掛合するという点において、連続して載置された中間要素４２によって支持体３０に固定される。このため開始要素４１は、連続して載置された中間要素４２がこれを防止するので、もはや旋回不可能である。開始要素４１に向かって配向された、中間要素４２の左手突起５５は、支持体３０の基部３１の下で掛合し、これにより、この場所において中間要素４２が基部３１から浮き上がるのを防止する。
【００４６】
図６は、図５に示される下面図を拡大した詳細Ａを、三次元図で示す。さらなる明確さのため、支持体３０のみならず、開始要素４１および中間要素４２もまた、断面で示されている。この詳細は基本的に、中間要素４２の左手突起５５および開始要素４１の右手突起５６をとともに実装通路３５を示しており、これらは互いに隣り合って配置され、実装通路３５の中へ突出している。具体的には、開始要素４１の右手突起５６は、基部３１の下ではなく、中間要素４２の下で掛合している。この場合、具体的には、接点Ｓが重要である。下位要素４１、４２、４３がこの遊びの範囲内で基部３１を持ち上げてガタガタまたはカタカタ音を生じることができないように、右手突起５６と中間要素４２の下側との間には、全く遊びがあってはならない。右手突起５６は好ましくは、各例において事前に載置された下位要素４１、４２が連続して載置された下位要素４２、４３によって基部３１に対して付勢されるように、小さい突出部さえ有する。やはり容易に認識可能なのは、中間要素４２の、支持体３０の位置決め通路３８を通じて突出する位置決め要素５９である。
【００４７】
図７に示されるように、エスカレーターのステップ４にも同じ概念が利用可能である。図７は、同様に基部２３１を有する、管状支持体２３０を有するステップ４を、側面断面図で示す。支持体２３０はたとえば、アルミニウム押出しセクションで作られている。ステップローラー２２７を実装するためのステップローラー実装部２３２は、基部２３１から離れた支持体２３０の側に配置されている。ステップ４の場合にも、幅の中で延在する、端側部および縁側部２４７、２４８によって境界付けられたトレッド要素２４０は、下位要素に分割される。これらは先に記載されたプレート１４と類似のやり方で支持体２３０に締結されるが、断面図では、事前に載置された下位要素の右手突起２５６および連続して載置された下位要素の左手突起２５５のみが視認可能である。
【００４８】
ステップ４は、幅の中で延在する縁領域２８１、２８２内に配置された下突起２８３および上突起２８４を有するライザー要素２８０を、さらに備える。基部２３１の領域内に配置された上突起２８４は、基部２３１の下で掛合することなく、上実装通路２３５の中に突出する。ステップフット２３２の領域内に配置された下突起２８３は、下実装通路２３６の中に突出して、支持体２３０の前壁２３９の下で掛合する。したがってライザー要素２８０の固定はトレッド要素２４０の下位要素の固定と類似のやり方で実行され、ライザー要素２８０の上突起２８４は、トレッド要素２４０の隣接する縁領域２４７の下で掛合する。実装概念は、最初にライザー要素２８０が載置されることを規定している。続いて、ライザー要素２８０は、トレッド要素２４０によって支持体２３０に固定され、そこでまず開始要素に、続いてこれに、そして存在する限りにおいて１つ以上の中間要素に固定され、最後に終端要素が支持体２３０上に載置され、締結要素によって支持体２３０に固定される。
【００４９】
下位要素に分割されたトレッド要素は、本発明による締結概念により、ステップスケルトンを有するステップの場合にも、明らかに使用されることが可能である。図８は、ステップスケルトン３３０を有するエスカレーターのこのようなステップ３０４を、三次元図で示す。トレッド要素３４０は、上記で記載された実施形態の場合のように、下位要素３４１、３４２、３４３に分割され、ステップスケルトン３３０に締結される。しかしながら、ライザー要素３８０は、ステップスケルトン３３０にたとえば溶接、接着、またはリベット留めされた、深絞りシートメタル部品である。
【００５０】
本発明は特定の実施形態の説明によって記載されてきたものの、たとえばプレートの場合に管状支持体の代わりにプレートスケルトンが使用されるなど、本発明の知識を用いてさらに多くの変形実施形態が創出可能であることは、明らかである。また、支持体は、台形または三角形断面形状以外の断面を有することができ、たとえばさらに折り畳まれた部分によって多角形の断面形状が形成される。加えて、下位要素は必ずしも鋳造アルミニウム部品を有する必要はない。トレッド要素の下位要素はまた、ブランクから機械加工されてもよく、鍛造部品として鍛造型によって作成されてもよい。下位要素はまた明らかにシートメタル部品、具体的には深絞りシートメタル部品から成ってもよい。また、下位要素は、ガラス繊維補強および／または炭素繊維補強合成材料、または異なる複合材料であってもよい。さらに、下位要素はまた少なくとも部分的に、花崗岩または大理石などの天然石から、あるいはガラスなどの非晶質材料から、製造されることも可能である。
【図１】
0006430514.tif 000002
【図２】
0006430514.tif 000003
【図３】
0006430514.tif 000004
【図４】
0006430514.tif 000005
【図５】
0006430514.tif 000006
【図６】
0006430514.tif 000007
【図７】
0006430514.tif 000008
【図８】
0006430514.tif 000009